(57)【特許請求の範囲】
【請求項１】
電力供給用のバッテリと、
該バッテリを制御するための制御回路が配置されてモールドされた制御基板と、
前記バッテリ及び前記制御基板を収容する本体部と、
該本体部を背負って携帯するための背負いベルトと、を有する電源装置であって、
前記本体部の背面に複数の脚部を備えており、前記背負いベルトは背負い板を備えており、前記複数の脚部に前記背負い板をねじ止めして、前記本体部の背面と前記背負い板との間に隙間を配置した電源装置。
【請求項２】
請求項１記載の電源装置であって、前記制御基板には、電解効果トランジスタが設けられている電源装置。
【請求項３】
請求項１又は２に記載した電源装置であって、前記本体部は前記バッテリを複数個収容可能で、該複数個のバッテリは、当該本体部を背負った状態で上下に並列配置される構成とした電源装置。
【請求項４】
請求項１〜３の何れか１項に記載した電源装置であって、前記バッテリの残容量を示す残容量報知機能を備えた電源装置。
【請求項５】
請求項１〜４の何れか１項に記載した電源装置であって、前記本体部の本体ケースに、吸排気用の孔を備えた電源装置。
【請求項６】
請求項１〜５の何れか１項に記載した電源装置であって、前記制御基板に沿って冷却用の放熱フィンを備えた電源装置。
【請求項７】
請求項１〜６の何れか１項に記載した電源装置であって、前記本体部に冷却ファンを内装した電源装置。
【発明の詳細な説明】
【技術分野】
【０００１】
この発明は、各種の電気機器の電源として用いることができる電源装置に関する。
【背景技術】
【０００２】
近年、例えばねじ締め機や穴明け用の電気ドリル等の主として手持ち式の電動工具では、例えば１００Ｖの交流電源を電源とするものに加えて、充電により繰り返し使用可能なリチウムイオンバッテリ（直流電源）を電源とする充電式電動工具が普及してきている。後者の充電式電動工具の場合には、前者の交流電源式の場合のような長い電源コードを電源コンセントに接続する必要がないので、特に屋外での高い作業性若しくは使い勝手を得ることができる。
また、充電式電動工具の場合、複数のバッテリを用意することにより、その一つを工具本体に取り付けて電源として使用する最中に、別の一つを別途用意した充電器で充電しておくことができ、これにより電動工具の長時間連続使用を実現して作業の効率化を図ることができる。但し、充電済みのバッテリに交換する手間があるため、従来これを補うために、複数のバッテリを並列に取り付けて大きな残容量を出力可能な電源装置が提供されている。例えば、下記の特許文献にはこの電源装置に関する技術が開示されている。この電源装置によれば、複数のバッテリについて並列接続と直列接続を併存させることにより電力の長時間出力と高出力化の双方を実現することができ、各バッテリの残容量の適切な制御により出力の効率化を図ることができる。
【先行技術文献】
【特許文献】
【０００３】
【特許文献１】特開２０１１−９７７６６号公報
【発明の概要】
【発明が解決しようとする課題】
【０００４】
しかしながら、上記従来の電源装置についてもさらに改良を加える必要があった。例えば、上記従来の電源装置では、取り付けた各バッテリの残容量が効率よく消費されるよう制御するための制御基板を備えている。従来、この制御基板の冷却が不十分であり、この点で改良する必要があった。
本発明は、複数のバッテリを取り付けてその合計の電力を出力可能な電源装置において、主として各バッテリの動作を制御するための制御基板の冷却がより十分になされるようにすることを目的とする。
【課題を解決するための手段】
【０００５】
上記の課題は、下記の発明によって解決される。
第１の発明は、複数のバッテリを取り付けて、合計の電力を電源として出力可能な電源装置であって、本体ケース内に、バッテリの動作を制御する制御基板と、この制御基板を冷却するための冷却装置を内装した電源装置である。
第１の発明によれば、制御基板により、例えば取り付けた複数のバッテリの残容量にばらつきが生じないよう効率よくその動作制御が行われる。このため、制御基板の特にＦＥＴ等の発生熱量が多くなる。大きな発熱源となる制御基板は専用の冷却装置により確実かつ十分に冷却されることから、当該電源装置の誤作動を未然に防止し、その耐久性を高めることができる。
第２の発明は、第１の発明において、冷却装置は冷却ファンを備えた電源装置である。
第２の発明によれば、冷却ファンの回転により制御基板が確実かつ十分に冷却されて、当該電源装置の誤作動が防止され、またその耐久性が高められる。
第３の発明は、第２の発明において、冷却装置は、制御基板の長手方向に沿って延在する複数の放熱フィンを備え、この放熱フィンの長手方向一端側に冷却ファンを備えて、隣接する放熱フィン間に、冷却ファンの回転により発生する冷却風を制御基板の長手方向他端側から一端側に向けて流す通風路が形成された電源装置である。
第３の発明によれば、例えば矩形平板形状を有する制御基板の長手方向に沿って冷却風が流されることにより、当該制御基板の全体が効率よく冷却される。
第４の発明は、第１〜第３の何れか一つの発明において、使用者が背負って携帯するための背負いベルトを装着可能な電源装置である。
第４の発明によれば、背負いベルトを装着することにより使用者は電源装置を背負って両手をあけた状態で当該電源装置を携帯することができるので、当該電源装置を例えば片手で持ち運ぶ場合に比して作業効率を高めることができ、また接続した電動工具等の電気機器の使用範囲（作業範囲）を拡げることができる。
第５の発明は、第４の発明において、背負いベルトは前記本体ケースの底部に沿って取り付ける背負い板を備えており、該背負い板を取り付けた状態では該背負い板と前記制御基板との間に前記放熱板が位置する電源装置である。
第５の発明によれば、本体ケースの底部に沿って取り付けられ、使用者の背中に当接される背負い板と制御基板との間に冷却装置の放熱板が位置していることから、制御基板の発熱を放熱板で冷却して使用者の背中へ伝わりにくくすることができ、これにより当該電源装置の使い勝手を高めることができる。
第６の発明は、第５の発明において、背負い板は、本体ケースの底部との間に通風用の隙間をおいて取り付けられる電源装置である。
第６の発明によれば、本体ケースと背負い板との間の隙間により、制御基板の発熱が使用者の背中により伝わりにくくなる。しかも、この隙間に外気が導入されることによっても、制御基板の発熱が冷却されることから、使用者の背中へ発熱がより一層伝わりにくくなり、これにより当該電源装置の使い勝手をより一層高めることができる。
第７の発明は、第４〜第６の発明において、電源出力用の電源コードを本体ケースの左側部から若しくは右側部からの何れかを任意に選択して引き出し可能な電源装置である。
第７の発明によれば、電源装置を背負った使用者の利き腕若しくは作業性等を考慮して電源コードの引き出し位置を選択することができ、これにより当該電源装置の使い勝手を高め、また作業性及び操作性を一層高めることができる。
【図面の簡単な説明】
【０００６】
【図１】本発明の実施形態に係る電源装置の正面図である。
【図２】電源装置の縦断面図である。
【図３】蓋を開けた状態における電源装置の正面図である。
【図４】図３の(IV)-(IV)線矢視図であって、残容量報知部の横断面図である。
【図５】図３の(V)-(V)線矢視図であって、本体部の横断面図である。
【図６】電動工具の一例としての充電式電気カンナの全体斜視図である。
【発明を実施するための形態】
【０００７】
次に、本発明の実施形態を図１〜図６に基づいて説明する。図１は、本実施形態の電源装置１を示している。この電源装置１は、４つのバッテリ１１〜１４を取り付けた本体部１０と、この本体部１０の正面側であって４つのバッテリ１１〜１４を覆う蓋部２を備えている。蓋部２は、ヒンジ部３を介して本体部１０の上部に上下に回動可能に支持されている。蓋部２はヒンジ部３を中心にして上方へ回動させれば開くことができ、下方へ回動させれば閉じることができる。蓋部２の閉じ位置は、当該蓋部２の下部に設けたロックレバー４を本体部１０の下部に設けた引き掛け爪５に引き掛けておくことによりロックされる。ロックレバー４は圧縮ばね６によってロック側に付勢されている。
本体部１０と蓋部２の下面側には、合計４箇所の脚部７〜７が設けられている。この脚部７〜７によって、当該電源装置１を上方へ立てた自立状態（縦置き状態）に設置できる。また、本体部１０の上部には持ち運び用のキャリングハンドル８が設けられている。このキャリングハンドル８は、ヒンジ部３を中心にして上下に回動可能に設けられている。このキャリングハンドル８は、上方へ起立させて使用者が把持することができ、下方へ傾倒させて収納しておくことができる。図２は、キャリングハンドル８を下方へ傾倒させて収納した状態を示し、図３は上方へ起立させた状態を示している。
本体部１０の背面四隅には、横置き用の脚部９〜９が設けられている。この脚部９〜９を接地させて当該電源装置１は横置き姿勢に設置することもできる。
【０００８】
図３は、蓋部２を開放若しくは取り外した状態を示している。このため、図３では本体部１０の正面が見えている。本体部１０の正面に、何れもスライド取り付け形式の４つのバッテリ１１〜１４が上下に並列状態に取り付けられている。以下の説明では、上側から第１バッテリ１１、第２バッテリ１２、第３バッテリ１３、第４バッテリ１４とも称する。第１〜第４バッテリ１１〜１４は、例えば図６に示す充電式の電気カンナ５０等の電動工具の電源として用いられるもので、本実施形態では４つとも同じく１８Ｖ仕様のリチウムイオンバッテリが用いられている。各バッテリ１１〜１４は、バッテリケース１１ａ（１２ａ，１３ａ，１４ａ）内に、複数本のバッテリセル１１ｂ〜１１ｂを収容したもので、別途充電器で充電することにより繰り返し使用することができる（二次電池）。この各バッテリ１１〜１４自体については既に公知のものをそのまま用いることができる。各バッテリ１１〜１４の側部には、工具本体の後部に設けたバッテリ取り付け部５１に対する取り付け状態をロックするためのロック爪１１ｃ〜１４ｃが設けられている。
【０００９】
本体部１０の正面に、この４つのバッテリ１１〜１４を取り付けるためのバッテリ取り付け部２１〜２４が上下方向に４箇所並列状態で配置されている。本体部１０は正面側に開放する箱体形状の本体ケース１５と、この本体ケース１５の開口部に沿ってねじ止めした台座部１６を備えている。台座部１６に４つのバッテリ取り付け部２１〜２４が取り付けられている。各バッテリ取り付け部２１〜２４は、上記充電式電気カンナ５０（電動工具）のバッテリ取り付け部５１と同様のスライド取り付け構造で、４箇所とも同じスライド取り付け構造を有している。各バッテリ取り付け部２１〜２４には、上下一対のスライドレール２１ａ，２１ａ〜２４ａ，２４ａが設けられている。各スライドレール２１ａ，２１ａ〜２４ａ，２４ａ間には、コネクタ接続部２１ｂ〜２４ｂが配置されている。図３において、各バッテリ１１〜１４を各バッテリ取り付け部２１〜２４に対して、左側から右側へ横方向にスライドさせることにより各バッテリ１１〜１４を取り付けることができ、逆に右側から左側へ横方向にスライドさせることにより各バッテリ１１〜１４をバッテリ取り付け部２１〜２４から取り外すことができる。各バッテリ１１〜１４を各バッテリ取り付け部２１〜２４に取り付けると、各コネクタ接続部２１ｂ〜２４ｂを介して各バッテリ１１〜１４が電気的に接続される。４つのバッテリ１１〜１４は、それぞれ個別に取り付け、取り外しすることができる。各バッテリ１１〜１４のロック爪１１ｃ〜１４ｃをばね付勢力に抗して指先でアンロック操作するとロックが解除されて取り外すことができる。
この第１〜第４バッテリ１１〜１４は、何れも全てのバッテリ取り付け部２１〜２４に対して取り付けの互換性を有している。取り付けた第１〜第４のバッテリ１１〜１４は、その２つが並列接続されて長時間出力が実現され、並列接続された二組が相互に直列接続されて３６Ｖ出力が実現される。
【００１０】
本実施形態の電源装置１は、取り付けたバッテリ１１〜１４の残容量を示す残容量報知機能Ｚを備えている。この残容量報知機能Ｚは、各バッテリ１１〜１４の個別の残容量Ｚｅを報知する個別残容量報知部３０〜３０と、４つのバッテリ１１〜１４の合計の残容量Ｚｔを報知する全体残容量報知部３１により達成される。
図３に示すように前者の個別残容量報知部３０〜３０は、各バッテリ取り付け部２１〜２４の左側に配置されている。各個別残容量報知部３０は、台座部１６に取り付けた２個のインジケータランプ３０ａ，３０ａを備えている。それぞれ２つのインジケータランプ３０ａ，３０ａが以下のように点灯若しくは点滅することにより対応する第１〜第４バッテリ１１〜１４の個別残容量Ｚｅが個別に報知される。
各個別残容量報知部３０において、インジケータランプ３０ａ，３０ａが２つとも緑色に点灯することにより、バッテリ１１〜１４の個別残容量Ｚｅが十分な満充電状態が報知される。一方が緑色で他方が赤色に点灯した状態では、個別残容量Ｚｅが少ない状態が報知される。２つとも赤色に点灯した状態では、個別残容量Ｚｅが不足して電源供給できない状態（要充電状態）が報知される。また、インジケータランプ３０ａ，３０ａが２つとも赤色に点滅した状態では、バッテリ１１〜１４の温度や電流値に関するエラー状態が報知される。
【００１１】
後者の全体残容量報知部３１は、本体部１０の正面ほぼ中央に配置されている。この全体残容量報知部３１は、本体部１０の正面ほぼ中央であって台座部１６の上下左右ほぼ中央に設けた断面長円形の支持筒部３２の上面に設けられている。この全体残容量報知部３１及び支持筒部３２は、上から２つ目の第２バッテリ１２と上から三つ目の第３バッテリ１３との間であって、本体部１０の上下方向及び左右幅方向のほぼ中央に設けられている。
この全体残容量報知部３１は、図示するように５つのインジケータランプ３５〜３５と一つの操作スイッチ３６を備えている。４つのバッテリ１１〜１４の合計残容量Ｚｔが多いほど赤色に点灯するインジケータランプ３５〜３５の個数が多くなる。インジケータランプ３５〜３５が５つとも赤色に点灯することにより、バッテリ１１〜１４の合計残容量Ｚｔが十分であることが報知される。インジケータランプ３５〜３５の点灯個数が少なくなることにより、バッテリ１１〜１４の合計残容量Ｚｔが少なくなっていることが報知される。４つのバッテリ１１〜１４の全ての個別残容量Ｚｅがなくなると合計残容量Ｚｔもなくなるので、インジケータランプ３５〜３５は５つとも点灯しない状態となる。
このことから、例えば４つ若しくは全てのインジケータランプ３５〜３５が点灯することにより合計残容量Ｚｔが十分である場合であっても、個別残容量報知部３０〜３０を確認することにより何れかのバッテリ１１（又は１２，１３，１４）の個別残容量Ｚｅが不足している場合（インジケータランプ３０ａ，３０ａの一方又は双方が赤色に点灯している場合）があり、これにより充電が必要なバッテリ１１（又は１２，１３，１４）を確実に特定することができる。
【００１２】
本実施形態では、インジケータランプ３５〜３５が点灯するか否かは、操作スイッチ３６を押し操作した状態でのみ確認できるようになっている。このため、仮に全体残容量Ｚｔが不足する場合であっても操作スイッチ３６を押し操作しない状態ではインジケータランプ３５〜３５は点灯しない。操作スイッチ３６を押し操作すると、全体残容量Ｚｔが不足する場合に一部若しくは全てのインジケータランプ３５〜３５が点灯しない状態となり、これにより使用者は第１〜第４バッテリ１１〜１４の合計残容量Ｚｔが不足していることを確認することができる。操作スイッチ３６を押し操作した時点で全てのインジケータランプ３５〜３５が点灯することにより第１〜第４バッテリ１１〜１４の合計残容量Ｚｔが十分であることを確認することができる。
このように、必要時のみ操作スイッチ３６を押し操作してインジケータランプ３５〜３５を点灯させる構成であるので消費電力を節約することができる。
本実施形態の電源装置１では、蓋部２を閉じた状態でも外部からこの全体残容量報知部３１を目で確認することができるようになっている。蓋部２のほぼ中央には、全体残容量報知部３１の長円形と相似形をなす長円形の窓部２ａが設けられている。本体部１０に対して蓋部２を閉じると、この窓部２ａ内に全体残容量報知部３１が進入して塞がれた状態となる。これにより、蓋部２を閉じた状態でこの全体残容量報知部３１を外部から目で見て確認できるようになっている。
第１〜第４バッテリ１１〜１４は、電気的に並列接続されている。このため、本実施形態の電源装置１は、全てのバッテリ取り付け部２１〜２４にバッテリ１１〜１４を取り付けた状態だけでなく、例えば何れか一箇所のバッテリ取り付け部２１（又は２２，２３，２４）にバッテリ１１（又は１２，１３，１４）を取り付けた状態でも同等の電力を出力することができる。
【００１３】
図２に示すように、本体部１０内には、取り付けた第１〜第４バッテリ１１〜１４及びバッテリ取り付け部２１〜２４、さらには残容量表示機能Ｚを電気的に制御するための制御回路と直流３６Ｖ電力を出力するための電源回路を含む制御基板４０が配置されている。この制御基板４０はその全体（表裏両面）を樹脂層４０ａでモールドされた状態で台座部１６の背面側に沿って固定されている。
本体部１０内には、主として制御基板４０の特にＦＥＴ（電界効果トランジスタ）を冷却するための冷却装置６０が設けられている。この冷却装置６０は、制御基板４０の背面側に取り付けたアルミニウム製の放熱板６１と冷却ファン６２を備えている。図４に示すようにこの制御基板４０は、基板フレーム４５を介して台座部１６の背面に沿ってねじ止めされている。この制御基板４０の背面側に、上下２つの取り付けフレーム６３，６３を介して放熱板６１が接合状態で取り付けられている。この放熱板６１は、矩形平板形状を有する複数の放熱フィン６１ａ〜６１ａを備えている。この放熱フィン６１ａ〜６１ａは、制御基板４０の長手方向（本体部１０の長手方向であって図２において上下方向）の全体にわたって延びる状態で相互に平行に設けられている。図４及び図５に示すように放熱板６１は、隣接する２放熱フィン６１ａ，６１ａ間に上下に長い複数の通風路６４〜６４を備えている。各通風路６４は、制御基板４０の長手方向の全長にわたる範囲に沿って設けられている。
【００１４】
図２に示すように本体ケース１５の底部には、吸気孔１５ａ〜１５ａが設けられている。この吸気孔１５ａ〜１５ａは、放熱板６１の上端部であって通風路６４の上部付近に位置している。これに対して、放熱板６１を支持する下側の取り付けフレーム６３には円形のファンフレーム部６３ａが一体に設けられており、このファンフレーム部６３ａには冷却ファン６２が取り付けられている。この冷却ファン６２の下方であって本体ケース１５の下面側に排気孔１５ｂ〜１５ｂが設けられている。なお、本実施形態では、放熱板６１を支持する上側の取り付けフレーム６３にも同様のファンフレーム部６３ａが設けられて、上下の取り付けフレーム６３，６３の共通部品化が図られている。但し、上側のファンフレーム部６３ａには冷却ファンは取り付けられていない。
冷却ファン６２が回転する状態では、図２中符号Ｗを付した矢印で示すように吸気孔１５ａ〜１５ａから取り付けフレーム６３の放熱孔６３ｂを経て排気孔１５ｂ〜１５に向かう冷却風の流れが発生する。この冷却風が上下に長い通風路６４〜６４内を下方に向かって流れることにより各放熱フィン６１ａが冷却され、ひいては制御基板４０がその長手方向の全体にわたって効率よく放熱がなされる。
本体部１０の右側部には、メインスイッチ４２が設けられている。冷却ファン６２は、このメインスイッチ４２をオン操作すると回転する。また、このメインスイッチ４２をオン操作することにより、電源コード４１を経て電力供給可能な状態となる。メインスイッチ４２をオフ操作した状態では電源回路が遮断されて、電力供給されない状態となり、これにより待機電力の消費が抑制されるようになっている。
本体部１０の右側部下側からは、直流３６Ｖ電力供給用の電源コード４１が引き出されている。この電源コード４１を経て外部機器に電力を供給することができる。図１において、二点鎖線で示すように、この電源コード４１の引き出し位置は、本体部１０の左側部に変更することができる。いずれか一方の引き出し位置を任意に選択して電源コード４１の取り回しを容易にすることにより当該電源装置１の使い勝手を良くすることができる。
【００１５】
図１及び図２に示すように本実施形態の電源装置１には、背負い用のベルト（背負いベルト４３）を取り付けることができる。この背負いベルト４３を装着することにより、使用者はこの電源装置１を背負って両手をあけた状態で携帯することができるので、キャリングハンドル８を用いて持ち運ぶ場合に比して作業性を高めることができ、また当該電源装置１を１箇所に設置して用いる場合に比して作業範囲を拡げることができる。
この背負いベルト４３は、本体ケース１５の底部に沿って取り付けられ、背負った状態では使用者の背中に当接される背負い板４３ａを備えている。この背負い板４３ａを本体ケース１５の底面に沿って取り付けることにより背負いベルト４３が電源装置１に装着される。背負い板４３ａは、概ねその四隅に横置き用の脚部９〜９を当接させ、この脚部９〜９に対してそれぞれ取り付けねじ４３ｂでねじ止めされる。このため、背負い板４３ａは、本体ケース１５の底部との間に、脚部９の高さに相当する幅の隙間４３ｃをおいた状態で当該底部に沿って取り付けられる。
このように取り付けられた背負い板４３ａによって使用者は背中と本体ケース１５の底部との間に隙間４３ｃをおいて当該電源装置１を背負うことができ、これにより本体部１０の背面が直接背中に接触しない状態であって吸気孔１５ａ〜１５ａを背中で塞いでしまわない状態で当該電源装置１を背負うことができるので、冷却装置６０の冷却効率を阻害することなく背負うことができる。
また、背負った状態で隙間４３ｃ内に外気が導入されることにより、当該電源装置１側で発生した熱が直接使用者の背中に伝わって不快な思いをさせることがなく、これにより当該電源装置１の使い勝手及び作業性を高めることができる。
背負い板４３ａの上部には、比較的大きな通気孔４３ｄが設けられている。この通気孔４３ｄは、本体ケース１５の吸気孔１５ａ〜１５ａの後方に位置している。冷却ファン６２が回転する状態では、矢印Ｗで示す冷却風の流れが発生して吸気孔１５ａ〜１５ａを経て本体ケース１５内に外気が導入され、外気は、隙間４３ｃ及び通気孔４３ｄを経て効率よく排気孔１５ａ〜１５ａ内に吸気される。
また、使用者が背中に電源装置１を背負った状態では、背負い板４３ａが背中にあてがわれるが、通気孔４３ｄを経て外気の流れが発生することから、背中の風通しをよくして汗ばむこと抑制することができる。
【００１６】
以上のように構成した本実施形態の電源装置１によれば、充電式電気カンナ５０等の電動工具の電源として用いられるバッテリ１１〜１４を４つ取り付けて、その合計電力（３６Ｖ）を長時間にわたって出力することができる。このため、特に屋外において交流電源を利用できないような作業環境であっても効率よく作業を行うことができる。
しかも、本実施形態の電源装置１では、主として制御基板４０を冷却するための特別の冷却装置６０を備えている。この冷却装置６０は、制御基板４０の長手方向に沿って延びる複数の放熱フィン６１ａ〜６１ａを有する放熱板６１を備えており、この複数の放熱フィン６１ａ〜６１ａにより制御基板４０の長手方向のほぼ全域にわたる長さの通風路６４〜６４が形成されている。しかも、冷却ファン６２によって、各通風路６４内には、図２中矢印Ｗで示すように制御基板４０の上端部付近から下端部に至る冷却風の流れが強制的に発生させられる。この制御基板４０の長手方向に沿った複数の通風路６４〜６４を流れる冷却風によって、当該制御基板４０の全体及びその周辺が効率よく冷却される。
このように制御基板４０及びその周辺が冷却装置６０によって確実に冷却されることから、発熱による当該電源装置１の誤作動や制御プログラムの暴走を未然に防止することができ、ひいては当該電源装置１の耐久性を高めることができる。
また、本実施形態の電源装置１は、キャリングハンドル８を用いて持ち運ぶことができる他、背負った状態でも携帯することができる。使用者は、電源装置１を背負って両手をあけた状態で作業することができるので、作業効率を高めることができる。
電源装置１を背負った状態では、本体ケース１５の底部に設けた吸気孔１５ａ〜１５ａと背負い板４３ａとの間に隙間４３ｃが発生して効率よく外気が導入されるようになっている。しかも、この隙間４３ｃによれば、背負った状態で電源装置１が直接背中に押し当てられるないので、電源装置１側の発熱が使用者の背中に直接伝わることがなく、これにより当該電源装置１の使い勝手（使用感）をよくすることができる。
また、電源コード４１の引き出し側は、特に背負った状態で使用者の利き腕に合わせて、若しくは作業性等の要因に合わせて本体部１０の右側部若しくは左側部に変更することができ、この点で当該電源装置１の使い勝手を高めることができる。
【００１７】
以上説明した実施形態には種々変更を加えることができる。例えば、４つのバッテリ１１〜１４を取り付け可能な電源装置１を例示したが、取り付け可能な複数のバッテリの個数については任意に設定することができる。
冷却ファン６２は省略してもよい。冷却ファン６２を備えない場合であっても、放熱板６１の放熱フィン６１ａ〜６１ａ及び通風路６４〜６４が制御基板４０の長手方向のほぼ全域に沿って設けられていることにより、当該制御基板４０の冷却が確実かつ効率よく行われる。
さらに、電源コード４１により直流３６Ｖ電源を出力する構成を例示したが、昇圧回路等を用いることによりさらに高い電圧の電力を出力する構成としてもよい。また、直流電源ではなく交流電源を出力する構成、あるいはその双方を出力する構成としてもよい。
【符号の説明】
【００１８】
１…電源装置
２…蓋部、２ａ…窓部
３…ヒンジ部
４…ロックレバー
５…引き掛け爪
６…圧縮ばね
７…脚部（縦置き用）
８…キャリングハンドル
９…脚部（横置き用）
１０…本体部
１１…第１バッテリ
１１ａ…バッテリケース、１１ｂ…バッテリセル、１１ｃ…ロック爪
１２…第２バッテリ
１２ａ…バッテリケース、１２ｂ…バッテリセル、１２ｃ…ロック爪
１３…第３バッテリ
１３ａ…バッテリケース、１３ｂ…バッテリセル、１３ｃ…ロック爪
１４…第４バッテリ
１４ａ…バッテリケース、１４ｂ…バッテリセル、１４ｃ…ロック爪
１５…本体ケース
１６…台座部
２１〜２４…バッテリ取り付け部
２１ａ〜２４ａ…スライドレール
２１ｂ〜２４ｂ…コネクタ接続部
Ｚ…残容量報知機能
Ｚｅ…個別残容量
Ｚｔ…全体残容量（合計残容量）
３０…個別残容量報知部、３０ａ…インジケータランプ
３１…全体残容量報知部
３２…支持筒部
３５…インジケータランプ
３６…操作スイッチ
４０…制御基板
４１…電源コード
４２…メインスイッチ
４３…背負いベルト
４３ａ…背負い板、４３ｂ…取り付けねじ、４３ｃ…隙間、４３ｄ…通気孔
４５…基板フレーム
５０…充電式電気カンナ
５１…バッテリ取り付け部
６０…冷却装置
６１…放熱板、６１ａ…放熱フィン
６２…冷却ファン
６３…取り付けフレーム、６３ａ…ファンフレーム部、６３ｂ…放熱孔
６４…通風路
Ｗ…冷却風の流れ
【図１】
0005851156.tif 000002
【図２】
0005851156.tif 000003
【図３】
0005851156.tif 000004
【図４】
0005851156.tif 000005
【図５】
0005851156.tif 000006
【図６】
0005851156.tif 000007